(57)【要約】      （修正有）【課題】ベッドフレームユニットを組み付ける際や、分解する際に工具を不要にできるベッドフレームユニットを提供する。【解決手段】ベッドフレームユニット１は、左右の縦枠フレーム３、４と、左右の第１連結具５、６と、を備える。縦枠フレームは、分割可能に形成された２つの第１縦枠パーツ２１、６１及び第２縦枠パーツ２２、６２で構成され、ベッドの両側に間隔をあけて配置される。第１連結具は、縦枠フレームの第１縦枠パーツ及び第２縦枠パーツが突き合わされる突合せ端面部６１ａ、６２ａに差し込まれることにより第１縦枠パーツ及び第２縦枠パーツを連結する。【選択図】図２
0003233776.tif 000002
【実用新案登録請求の範囲】
【請求項１】
ベッドの骨格を構成するベッドフレームユニットであって、
分割可能に形成された少なくとも２つの縦枠パーツで構成され、前記ベッドの両側に間隔をあけて配置される左右の縦枠フレームと、
前記縦枠フレームの各縦枠パーツが突き合わされる端面部に差し込まれることにより前記各縦枠パーツを連結する連結具と、
を備えることを特徴とするベッドフレームユニット。
【請求項２】
前記縦枠フレームの各縦枠パーツが突き合わされた状態において、前記各縦枠パーツに差し込まれる一対の差込突部と、前記一対の差込突部が設けられた基部と、を有する他の連結具を備える、
ことを特徴とする請求項１に記載のベッドフレームユニット。
【請求項３】
前記縦枠フレームは、
前記ベッドのヘッド側の各端部に設けられ、内側に突出された第１係止手段を有する第１連結凹部と、
前記ベッドのフット側の各端部に設けられ、内側に突出された第２係止手段を有する第２連結凹部と、を備え、
前記第１連結凹部に嵌合された状態において前記第１係止手段に嵌合され、長手方向に対して交差するように形成された第１スリットを有するヘッド横枠フレームと、
前記第２連結凹部に嵌合された状態において前記第２係止手段に嵌合され、長手方向に対して交差するように形成された第２スリットを有するフット横枠フレームと、を備える、
ことを特徴とする請求項１または請求項２に記載のベッドフレームユニット。
【請求項４】
前記縦枠フレームに形成された載置部に載置される少なくとも４つの床板パーツで構成された床板と、
前記縦枠フレーム、前記ヘッド横枠フレーム、及びフット横枠フレームで形成された矩形体フレームに沿って配置され、断面Ｕ字状に形成されることにより各開口端部が突き合わされて閉断面を形成する一対のヘッドボードと、を備え、
梱包した状態において、前記縦枠フレームは、前記各縦枠パーツが分割された状態で前記ヘッド横枠フレーム、前記フット横枠フレーム、及び前記床板パーツとともに前記閉断面に収納可能に形成されている、
ことを特徴とする請求項３に記載のベッドフレームユニット。
【請求項５】
前記床板は、
一対の前記床板パーツが逆Ｖ字状に折り曲げられ、前記縦枠フレームに形成された凹部に、逆Ｖ字状に折り曲げられた前記床板パーツの下端部が嵌合される、
ことを特徴とする請求項４に記載のベッドフレームユニット。
【考案の詳細な説明】
【技術分野】
【０００１】
本考案は、ベッドフレームユニットに関する。
【背景技術】
【０００２】
ベッドフレームユニットのなかには、ヘッドボードと、フットフレーム（以下、フット横枠フレームという）と、左右の両サイドフレーム（以下、左右の縦枠フレームという）と、床板と、を備えたものが知られている。左右の縦枠フレームは、ヘッドボード側とフット横枠フレーム側とに２分割可能な２つの分割フレーム（以下、第１縦枠パーツ、第２縦枠パーツという）を備える。
【０００３】
２つの第１縦枠パーツ及び第２縦枠パーツは、一列に突き合わされ、突き合わされた端部が支持脚にネジで着脱可能に連結される。床板は、ヘッドボード側とフット横枠フレーム側とに２分割された２つの床板パーツを備える。２つの床板パーツは、左右の縦枠フレームの間に載置される。これらの構成部材が組み付けられることによりベッドフレームユニットが構成される。
【０００４】
このベッドフレームユニットを倉庫に保管したりトラックで運搬したりする場合には、第１縦枠パーツ及び第２縦枠パーツを連結しているネジを緩めて第１縦枠パーツ及び第２縦枠パーツを分解する。よって、分割された第１縦枠パーツ及び第２縦枠パーツの１つ当たりの長さを、他の構成部品（ヘッドボード、フット横枠フレーム、床板パーツ等）の寸法以内に収めることができる。これにより、ベッドフレームユニットの全ての構成部品をひとまとめに梱包できる。１つにまとめられた全ての構成部品は、例えばバラバラにならないように梱包材に包まれて１つに梱包される（例えば、特許文献１参照）。
【先行技術文献】
【特許文献】
【０００５】
【特許文献１】実用新案登録第３２０２７４２号公報
【考案の概要】
【考案が解決しようとする課題】
【０００６】
しかし、特許文献１のベッドフレームユニットは、第１縦枠パーツ及び第２縦枠パーツがネジで連結されるように構成されている。よって、ベッドフレームユニットを組み付ける際には、第１縦枠パーツ及び第２縦枠パーツを突き合わせて、突き合わせた端部をネジで連結する必要がある。このため、２つの第１縦枠パーツ及び第２縦枠パーツを連結する際にネジを締め付ける工具を必要とする。また、２つの第１縦枠パーツ及び第２縦枠パーツを連結状態から分解する際にもネジを緩める工具を必要とする。
【０００７】
本考案は、ベッドフレームユニットを組み付ける際や、分解する際に工具を不要にできるベッドフレームユニットを提供することを目的とする。
【課題を解決するための手段】
【０００８】
前記課題を解決するために、本考案は以下の手段を提案している。
（１）本考案に係るベッドフレームユニットは、ベッドの骨格を構成するベッドフレームユニットであって、分割可能に形成された少なくとも２つの縦枠パーツで構成され、前記ベッドの両側に間隔をあけて配置される左右の縦枠フレームと、前記縦枠フレームの各縦枠パーツが突き合わされる端面部に差し込まれることにより前記各縦枠パーツを連結する連結具と、を備える。
【０００９】
この構成によれば、左右の縦枠フレームを構成する少なくとも２つの縦枠パーツを分割可能に形成した。さらに、縦枠フレームを構成する各縦枠パーツの端面部に連結具を差し込むことにより、各縦枠パーツの端面部を突き合わせた状態に連結可能とした。よって、各縦枠パーツの端面部をネジ等の締付具を使用することなく、各縦枠パーツの端面部を突き合わせた状態に連結できる。
これにより、各縦枠パーツの端面部の連結する際や、連結状態から分解する際に、ネジ等の締付具を締め付けたり、緩めたりするドライバ等の工具を不要にできる。すなわち、ベッドフレームユニットの組付けや分解の際に、ドライバ等の工具を不要にできる。
【００１０】
（２）前記縦枠フレームの各縦枠パーツが突き合わされた状態において、前記各縦枠パーツに差し込まれる一対の差込突部と、前記一対の差込突部が設けられた基部と、を有する他の連結具を備えてもよい。
【００１１】
この構成によれば、縦枠フレームの各縦枠パーツが突き合わされた状態において、他の連結具に備えた一対の差込突部を各縦枠パーツにそれぞれ差し込むようした。これにより、各縦枠パーツを他の連結具により一層強固に連結できる。
また、他の連結具の差込突部を各縦枠パーツに差し込むことにより、工具を使用することなく他の連結具を各縦枠パーツに組み付けることができる。これにより、ベッドフレームユニットの組付けや分解の際に、ネジ等の締付具を締め付けたり、緩めたりするドライバ等の工具を不要にできる。
【００１２】
（３）前記縦枠フレームは、前記ベッドのヘッド側の各端部に設けられ、内側に突出された第１係止手段を有する第１連結凹部と、前記ベッドのフット側の各端部に設けられ、内側に突出された第２係止手段を有する第２連結凹部と、を備え、前記第１連結凹部に嵌合された状態において前記第１係止手段に嵌合され、長手方向に対して交差するように形成された第１スリットを有するヘッド横枠フレームと、前記第２連結凹部に嵌合された状態において前記第２係止手段に嵌合され、長手方向に対して交差するように形成された第２スリットを有するフット横枠フレームと、を備えてもよい。
【００１３】
この構成によれば、縦枠フレームのヘッド側の各端部に第１連結凹部を設けた。この第１連結凹部にヘッド横枠フレームを嵌合させた状態において、第１連結凹部の第１係止手段に第１スリットを嵌合させるようにした。第１スリットは、フット横枠フレームの長手方向に対して交差するように形成されている。よって、ヘッド横枠フレームを左右の縦枠フレームの第１連結凹部に嵌合させた状態に保つことができる。これにより、左右の縦枠フレームのヘッド側の両端部をヘッド横枠フレームで連結できる。
【００１４】
また、縦枠フレームのフット側の各端部に第２連結凹部を設けた。この第２連結凹部にフット横枠フレームを嵌合させた状態において、第２連結凹部の第２係止手段に第２スリットを嵌合させるようにした。第２スリットは、フット横枠フレームの長手方向に対して交差するように形成されている。よって、フット横枠フレームを左右の縦枠フレームの第２連結凹部に嵌合させた状態に保つことができる。これにより、左右の縦枠フレームのフット側の両端部をフット横枠フレームで連結できる。
【００１５】
さらに、第１連結凹部にヘッド横枠フレームを嵌合させるとともに第１係止手段に第１スリットを嵌合させ、第２連結凹部にフット横枠フレームを嵌合させるとともに第２係止手段に第２スリットを嵌合させるようにした。よって、ヘッド横枠フレーム及びフット横枠フレームを、工具を使用することなく左右の縦枠フレームに組み付けることができる。これにより、ベッドフレームユニットの組付けや分解の際に、ネジ等の締付具を締め付けたり、緩めたりするドライバ等の工具を不要にできる。
【００１６】
（４）前記縦枠フレームに形成された載置部に載置される少なくとも４つの床板パーツで構成された床板と、前記縦枠フレーム、前記ヘッド横枠フレーム、及びフット横枠フレームで形成された矩形体フレームに沿って配置され、断面Ｕ字状に形成されることにより各開口端部が突き合わされて閉断面を形成する一対のヘッドボードと、を備え、梱包した状態において、前記縦枠フレームは、前記各縦枠パーツが分割された状態で前記ヘッド横枠フレーム、前記フット横枠フレーム、及び前記床板パーツとともに前記閉断面に収納可能に形成されていてもよい。
【００１７】
この構成によれば、縦枠フレーム、ヘッド横枠フレーム、及びフット横枠フレームで矩形体フレームを形成し、矩形体フレームに沿ってヘッドボードを配置するようにした。よって、ベッドフレームユニットを使用する室内環境に合わせて、矩形体フレームの任意の個所に沿わせてヘッドボードを配置できる。これにより、ベッドフレームユニットの利便性を高めることができる。
【００１８】
また、一対のヘッドボードを断面Ｕ字状に形成することにより、各ヘッドボードの開口端部を突き合わせて閉断面を形成可能とした。さらに、分解したベッドフレームユニットを梱包する際に、縦枠フレームの各縦枠パーツを分割状態において、ヘッド横枠フレーム、フット横枠フレーム、及び床板パーツとともに一対のヘッドボードの閉断面に収納可能とした。よって、縦枠フレームの各縦枠パーツ、ヘッド横枠フレーム、フット横枠フレーム、及び床板パーツを、バラバラにならないように一対のヘッドボードにより１つにまとめた状態に保持できる。
これにより、分解したベッドフレームユニットの各フレームや各パーツをひとまとめに梱包して保管したり運搬したりする際等に、各フレームや各パーツをまとめるために従来必要とされていた梱包材を不要にできる。
【００１９】
（５）前記床板は、一対の前記床板パーツが逆Ｖ字状に折り曲げられ、逆Ｖ字状に折り曲げられた前記床板パーツの下端部が前記縦枠フレームに嵌合されていてもよい。
【００２０】
この構成によれば、一対の床板パーツを逆Ｖ字状に折り曲げ、折り曲げられた一対の床板パーツの下端部を縦枠フレームに嵌合させるようにした。よって、一対の床板パーツを縦枠フレームから逆Ｖ字状に立ち上げた状態に保つことができる。これにより、逆Ｖ字状に立ち上げた床板パーツに、例えば布団等を干すことができ、ベッドフレームユニットの利便性を一層高めることができる。
【考案の効果】
【００２１】
本考案によれば、ベッドフレームユニットを組み付ける際や、分解する際に工具を不要にできるベッドフレームユニットを提供できる。
【図面の簡単な説明】
【００２２】
【図１】本考案の第１実施形態に係るベッドフレームユニットを示す斜視図である。
【図２】図１のベッドフレームユニットを示す分解斜視図である。
【図３】ベッドフレームユニットのうち左の縦枠フレームにおける第１縦枠パーツを示す斜視図である。
【図４】図３の第１縦枠パーツに備えた第１連結金具を示す斜視図である。
【図５】第１実施形態に係る左の縦枠フレームにおける第１縦枠パーツ及び第２縦枠パーツを連結した状態を示す斜視図である。
【図６】図５の第１縦枠パーツ及び第２縦枠パーツを分解した状態を示す分解斜視図である。
【図７】第１実施形態に係る床板の第１床板パーツ８１及び第２床板パーツ８２を逆Ｖ字状に立ち上げた状態を示す側面図である。
【図８】第１実施形態に係る床板を立ち上げて布団を干す状態を示す斜視図である。
【図９】第１実施形態に係るベッドフレームユニットのヘッドボードを示す斜視図である。
【図１０】第１実施形態に係るベッドフレームユニットを梱包した状態を示す斜視図である。
【図１１】図１０のベッドフレームユニットを分解した状態を示す分解斜視図である。
【図１２】本考案の第２実施形態に係るベッドフレームユニットを示す斜視図である。
【考案を実施するための形態】
【００２３】
以下、図面を参照し、本考案の一実施形態に係るベッドフレームユニットを説明する。
（第１実施形態）
図１、図２に示すように、ベッドフレームユニット１は、ベッドの骨格を構成するフレームユニットである。ベッドフレームユニット１は、左右の縦枠フレーム３，４と、左右の第１連結具（連結具）５，６と、左右の第２連結具（他の連結具）７，８と、ヘッド横枠フレーム９と、フット横枠フレーム１１と、一対の中央横枠フレーム１２，１３と、床板１５と、一対のヘッドボード１６，１７と、を備える。
【００２４】
以下、ベッドフレームユニット１において、使用者の頭部が位置する側をヘッド側、使用者の足が位置する側をフット側とする。また、ベッドフレームユニット１のヘッド側からベッドフレームユニット１を見た状態において左側をベッドフレームユニット１の左側、右側をベッドフレームユニット１の右側とする。さらに、ベッドフレームユニット１のヘッド側とフット側とを結ぶ方向を縦方向、縦方向に直交する方向を横方向とする。また、ベッドフレームユニット１は床側を下方、布団等を敷く側を上方とする。
【００２５】
左右の縦枠フレーム３，４は、ベッドの横方向に間隔をあけてベッドの左右の両側（すなわち、ベッドの左右側）に配置される。左の縦枠フレーム３は、ベッドの左側に配置され、分割可能に形成された少なくとも２つ（第１実施形態では２つ）の第１縦枠パーツ（縦枠パーツ）２１及び第２縦枠パーツ（縦枠パーツ）２２で構成されている。
第１縦枠パーツ２１はヘッド側に配置され、第２縦枠パーツ２２はフット側に配置される。第１縦枠パーツ２１及び第２縦枠パーツ２２は、第１縦枠パーツ２１及び第２縦枠パーツ２２の突き合わせ部  を軸にして対称に形成されている。
【００２６】
図２、図３に示すように、第１縦枠パーツ２１は、第２縦枠パーツ２２に対してヘッド側に配置される。第１縦枠パーツ２１は、内面においてヘッド側からフット側に向けて、第１連結金具（第１連結凹部）３１、第１凹部３２、第２連結金具３３、第２凹部３４、及び第１連結段差部３５、を順に備える。また、第１縦枠パーツ２１は、一対の第１ダボ孔３６と、第１載置部（載置部）３７と、を備える。
【００２７】
図３、図４に示すように、第１連結金具３１は、第１縦枠パーツ２１のヘッド側の端部２１ａに設けられている。第１連結金具３１は、下方に向けて凹状に形成された連結部４１と、ヘッド側の端部２１ａにビス４３で固定される一対の取付片４２と、連結部４１の先端から凹状の内側に向けて突出された一対の第１係止突部（第１係止手段）４４と、を有する。
以下、第１縦枠パーツ２１のヘッド側の端部２１ａを「左の縦枠フレーム３のヘッド側端部２１ａ」ということもある。
【００２８】
第１凹部３２は、下方に向けて凹状に形成されている。第２連結金具３３は、第１連結金具３１と類似部材である。すなわち、第２連結金具３３は、第１縦枠パーツ２１にビスで固定され、連結部が下方に向けて凹状に形成されている。さらに、第２連結金具３３は、連結部の先端から凹状の内側に向けて一対の第２係止突部が突出されている。第２凹部３４は、第１凹部３２と同様に、下方に向けて凹状に形成されている。
【００２９】
図５、図６に示すように、第１連結段差部３５は、第１縦枠パーツ２１のフット側の端部２１ｂに設けられ、下方へ向けて凹むように段差状に形成されている。第１連結段差部３５は、底部３５ａにおいて下方へ向けて形成された差込孔４６を有する。
一対の第１ダボ孔３６は、第１縦枠パーツ２１の突合せ端面部（端面部）２１ｃにおいて、上下方向に間隔をあけて配置され、ヘッド側へ向けて縦方向に形成されている。
【００３０】
第１載置部３７は、第１縦枠パーツ２１の内面で、かつ、第１縦枠パーツ２１の上面２１ｄの下方に設けられている。第１載置部３７は、ベッドフレームユニット１（図２参照）の内側に向けて張り出され、上面２１ｄに沿って縦方向に延びている。
ここで、第１連結金具３１、第１凹部３２、第２連結金具３３、第２凹部３４、及び第１連結段差部３５は、第１載置部３７から下方に凹むように形成されている。
【００３１】
図２に示すように、第２縦枠パーツ２２は、第１縦枠パーツ２１に対してフット側に配置される。第２縦枠パーツ２２は、内面においてフット側からヘッド側に向けて、第３連結金具（第２連結凹部）５１、第３凹部５２、第４連結金具５３、第４凹部５４、及び第２連結段差部５５、を順に備える。また、第２縦枠パーツ２２は、一対の第２ダボ孔５６（図６参照）と、第２載置部（載置部）５７を備える。
【００３２】
第３連結金具５１は、第２縦枠パーツ２２のフット側の端部２２ａに設けられている。第３連結金具５１は、第１連結金具３１と同様に形成され、凹状の内側に向けて突出された一対の第３係止突部（第２係止手段）を有する。
以下、第２縦枠パーツ２２のフット側の端部２２ａを「左の縦枠フレーム３のフット側端部２２ａ」ということもある。
第３凹部５２は、第１凹部３２と同様に、下方に向けて凹状に形成されている。第４連結金具５３は、第２連結金具３３と同様に形成され、凹状の内側に向けて突出された一対の第４係止突部を有する。第４凹部５４は、第３凹部５２と同様に、下方に向けて凹状に形成されている。
【００３３】
図５、図６に示すように、第２連結段差部５５は、第２縦枠パーツ２２のヘッド側の端部２２ｂに設けられ、下方へ向けて凹むように段差状に形成されている。第２連結段差部５５は、底部５５ａにおいて下方へ向けて形成された差込孔５８を有する。
一対の第２ダボ孔５６は、第２縦枠パーツ２２の突合せ端面部（端面部）２２ｃにおいて、上下方向に間隔をあけて配置され、フット側へ向けて縦方向に形成されている。
【００３４】
図２、図６に示すように、第２載置部５７は、第１載置部３７に対して面一に形成されている。すなわち、第２載置部５７は、第２縦枠パーツ２２の内面で、かつ、第２縦枠パーツ２２の上面２２ｄの下方に設けられている。第２載置部５７は、ベッドフレームユニット１の内側に向けて張り出され、上面２２ｄに沿って縦方向に延びている。
ここで、第３連結金具５１、第３凹部５２、第４連結金具５３、第４凹部５４、及び第２連結段差部５５は、第２載置部５７から下方に凹むように形成されている。
【００３５】
右の縦枠フレーム４は、左の縦枠フレーム３に対して左右対称に形成されている。右の縦枠フレーム４は、ベッドの右側に配置され、分割可能に形成された少なくとも２つ（第１実施形態では２つ）の第１縦枠パーツ（縦枠パーツ）６１及び第２縦枠パーツ（縦枠パーツ）６２で構成されている。第１縦枠パーツ６１は、左の縦枠フレーム３の第２縦枠パーツ２２と同じ部材である。第２縦枠パーツ６２は、左の縦枠フレーム３の第１縦枠パーツ２１と同じ部材である。
【００３６】
図５、図６に示すように、左の第１連結具５は、左の縦枠フレーム３において、第１縦枠パーツ２１の突合せ端面部２１ｃと第２縦枠パーツ２２の突合せ端面部２２ｃとを突き合わせた状態に連結する連結具である。左の第１連結具５は、一対のダボ（連結ピン）６６を備える。一対のダボ６６は、ヘッド側に位置するヘッド側半部と、フット側に位置するフット側半部と、を有する。
【００３７】
一対のヘッド側半部は、第１縦枠パーツ２１の突合せ端面部２１ｃに形成された一対の第１ダボ孔３６に縦方向から差し込まれる。また、一対のフット側半部は、第２縦枠パーツ２２の突合せ端面部２２ｃに形成された一対の第２ダボ孔５６に縦方向から差し込まれる。これにより、左の縦枠フレーム３において、第１縦枠パーツ２１の突合せ端面部２１ｃ及び第２縦枠パーツ２２の突合せ端面部２２ｃは、左の第１連結具５により突き合わせた状態に連結される。
【００３８】
よって、左の第１連結具５によれば、第１縦枠パーツ２１の突合せ端面部２１ｃ及び第２縦枠パーツ２２の突合せ端面部２２ｃを、ネジ等の締付具を使用することなく突き合わせた状態に連結できる。これにより、第１縦枠パーツ２１の突合せ端面部２１ｃ及び第２縦枠パーツ２２の突合せ端面部２２ｃを連結する際や、連結状態から分解する際に、ネジ等の締付具を締め付けたり、緩めたりするドライバ等の工具不要にできる。
【００３９】
図２に示すように、右の第１連結具６は、右の縦枠フレーム４において、第１縦枠パーツ６１の突合せ端面部（端面部）６１ａと第２縦枠パーツ６２の突合せ端面部（端面部）６２ａとを突き合わせた状態に連結する連結具である。右の第１連結具６は、左の第１連結具５と同様に、一対のダボ（連結ピン）６８を備える。
一対のダボ６８は、一対のヘッド側半部が第１縦枠パーツ６１の突合せ端面部６１ａに形成された一対の第１ダボ孔に縦方向から差し込まれる。また、一対のダボ６８は、一対のフット側半部が第２縦枠パーツ６２の突合せ端面部６２ａに形成された一対の第２ダボ孔に縦方向から差し込まれる。これにより、右の縦枠フレーム４において、第１縦枠パーツ６１の突合せ端面部６１ａ及び第２縦枠パーツ６２の突合せ端面部６２ａは、右の第１連結具６により突き合わせた状態に連結される。
【００４０】
よって、右の第１連結具６によれば、第１縦枠パーツ６１の突合せ端面部６１ａ及び第２縦枠パーツ６２の突合せ端面部６２ａを、ネジ等の締付具を使用することなく突き合わせた状態に連結できる。これにより、第１縦枠パーツ６１の突合せ端面部６１ａ及び第２縦枠パーツ６２の突合せ端面部６２ａを連結する際や、連結状態から分解する際に、ネジ等の締付具を締め付けたり、緩めたりするドライバ等の工具不要にできる。
【００４１】
図５、図６に示すように、左の第２連結具７は、左の第１連結具５と同様に、左の縦枠フレーム３において、第１縦枠パーツ２１の突合せ端面部２１ｃと第２縦枠パーツ２２の突合せ端面部２２ｃとを突き合わせた状態に連結する連結具である。左の第２連結具７は、一対の差込突部（ダボ）７２と、基部７１と、を有する。
一対の差込突部７２は、第１連結段差部３５の差込孔４６と第２連結段差部５５の差込孔５８とに上方から差し込まれる。この状態において、左の縦枠フレーム３において、第１縦枠パーツ２１の突合せ端面部２１ｃと第２縦枠パーツ２２の突合せ端面部２２ｃとは、左の第１連結具５により突き合わされた状態に連結されている。
【００４２】
基部７１は、一対の差込突部７２が一体に設けられている。よって、一対の差込突部７２が第１連結段差部３５の差込孔４６と第２連結段差部５５の差込孔５８とに差し込まれることにより、第１縦枠パーツ２１の突合せ端面部２１ｃと第２縦枠パーツ２２の突合せ端面部２２ｃとが一層強固に連結される。
また、一対の差込突部７２を第１連結段差部３５の差込孔４６と第２連結段差部５５の差込孔５８とに差し込むことにより、ドライバ等の工具を使用することなく左の第２連結具７を第１縦枠パーツ２１及び第２縦枠パーツ２２に組み付けることができる。
【００４３】
基部７１は、一対の差込突部７２が第１連結段差部３５の差込孔４６と第２連結段差部５５の差込孔５８とに差し込まれた状態において、第１連結段差部３５及び第２連結段差部５５に収納される。この状態において、基部７１の上面７１ａは、第１載置部３７の上面及び第２載置部５７の上面と面一に位置する。
また、基部７１は、連結凹部７３を有する。連結凹部７３は、縦方向において一対の差込突部７２の間で、かつ、ベッドフレームユニット１の内側に対向する基部７１の内面に形成されている。連結凹部７３は、ベッドフレームユニット１の外側に向けて湾曲状に凹むように形成されている。
【００４４】
基部７１に連結凹部７３を形成することにより、左の第２連結具７を第１連結段差部３５の差込孔４６及び第２連結段差部５５の差込孔５８から外す際に、例えば連結凹部７３に取外力を入力できる。これにより、第１連結段差部３５の差込孔４６及び第２連結段差部５５の差込孔５８から左の第２連結具７をドライバ等の工具を使用することなく容易に外すことができる。
【００４５】
図２に示すように、右の第２連結具８は、右の第１連結具６と同様に、右の縦枠フレーム４において、第１縦枠パーツ６１の突合せ端面部６１ａと第２縦枠パーツ６２の突合せ端面部６２ａとを突き合わせた状態に連結する連結具である。右の第２連結具８は、左の第２連結具７と同様に構成されている。よって、右の第２連結具８の詳しい説明を省略する。
【００４６】
右の第２連結具８は、左の第２連結具７と同様に、右の縦枠フレーム４において、第１縦枠パーツ６１の突合せ端面部６１ａと第２縦枠パーツ６２の突合せ端面部６２ａとを突き合わせた状態に連結する。これにより、右の縦枠フレーム４は、右の第２連結具８により、第１縦枠パーツ６１の突合せ端面部６１ａと第２縦枠パーツ６２の突合せ端面部６２ａとが一層強固に連結される。
また、右の第２連結具８を第１縦枠パーツ６１と第２縦枠パーツ６２とに差し込むことにより、ドライバ等の工具を使用することなく右の第２連結具８を第１縦枠パーツ６１及び第２縦枠パーツ６２に組み付けることができる。
【００４７】
図２、図４に示すように、ヘッド横枠フレーム９は、例えば、断面矩形状の梁部材である。ヘッド横枠フレーム９は、左の縦枠フレーム３のヘッド側端部２１ａに備えられた第１連結金具３１の連結部４１に左端部９ａが上方から嵌合可能に形成されている。
また、ヘッド横枠フレーム９は、左端部９ａに形成された一対の第１スリット７６を有する。一対の第１スリット７６は、上下方向（すなわち、ヘッド横枠フレーム９の長手方向に対して交差する方向）に向けて形成されている。一対の第１スリット７６は、ヘッド横枠フレーム９の左端部９ａが第１連結金具３１の連結部４１に嵌合された状態において、第１連結金具３１の一対の第１係止突部４４に嵌合される。
【００４８】
よって、ヘッド横枠フレーム９の左端部９ａが、第１連結金具３１の連結部４１から横方向に抜け出すことを一対の第１係止突部４４で防止できる。これにより、ヘッド横枠フレーム９は、左の縦枠フレーム３のヘッド側端部２１ａに備えられた第１連結金具３１の連結部４１に、左端部９ａが嵌合された状態に保たれる。
【００４９】
また、ヘッド横枠フレーム９は、左端部９ａと同様に、右の縦枠フレーム４のヘッド側端部６１ｂに備えられた第１連結金具の連結部に、右端部９ｂが嵌合された状態に保たれる。
これにより、左の縦枠フレーム３のヘッド側端部２１ａ及び右の縦枠フレーム４のヘッド側端部６１ｂをヘッド横枠フレーム９で連結できる。
この状態において、ヘッド横枠フレーム９は、左の縦枠フレーム３の上面及び右の縦枠フレーム４の上面に対して上面９ｃが面一に位置する（図１も参照）。
【００５０】
また、ヘッド横枠フレーム９の左端部９ａを第１連結金具３１に嵌合し、右端部９ｂを第１連結金具に嵌合することにより、左の縦枠フレーム３のヘッド側端部２１ａ及び右の縦枠フレーム４のヘッド側端部６１ｂをヘッド横枠フレーム９で連結できる。これにより、ヘッド横枠フレーム９を、左の縦枠フレーム３のヘッド側端部２１ａと右の縦枠フレーム４のヘッド側端部６１ｂとに、ドライバ等の工具を使用することなく組み付けることができる。
【００５１】
図２に示すように、フット横枠フレーム１１は、ヘッド横枠フレーム９と同様に、例えば、断面矩形状の梁部材である。フット横枠フレーム１１は、左の縦枠フレーム３のフット側端部２２ａに備えられた第３連結金具５１の連結部に左端部１１ａが嵌合可能に形成されている。また、フット横枠フレーム１１は、左端部１１ａに形成された一対の第２スリット７８を有する。一対の第２スリット７８は、上下方向（すなわち、フット横枠フレーム１１の長手方向に対して交差する方向）に向けて形成されている。フット横枠フレーム１１は、第３連結金具５１の連結部に嵌合された状態において、第３連結金具５１の一対の第３係止突部に嵌合される。
よって、フット横枠フレーム１１の左端部１１ａが、第３連結金具５１から横方向に抜け出すことを防止できる。これにより、フット横枠フレーム１１は、左の縦枠フレーム３のフット側端部２２ａに備えられた第３連結金具５１に、左端部１１ａが嵌合された状態に保たれる。
【００５２】
また、フット横枠フレーム１１は、左端部１１ａと同様に、右の縦枠フレーム４のフット側端部６２ｂに備えられた第３連結金具５１に、右端部１１ｂが嵌合された状態に保たれる。
これにより、左の縦枠フレーム３のフット側端部２２ａ及び右の縦枠フレーム４のフット側端部６２ｂをフット横枠フレーム１１で連結できる。
この状態において、フット横枠フレーム１１は、左の縦枠フレーム３の上面及び右の縦枠フレーム４の上面に対して上面１１ｃが面一に位置する（図１も参照）。
【００５３】
また、フット横枠フレーム１１の左端部１１ａを第３連結金具５１に嵌合し、右端部１１ｂを第１連結金具に嵌合することにより、左の縦枠フレーム３のフット側端部２２ａ及び右の縦枠フレーム４のフット側端部６２ｂをヘッド横枠フレーム９で連結できる。これにより、フット横枠フレーム１１を、左の縦枠フレーム３のフット側端部２２ａと右の縦枠フレーム４のフット側端部６２ｂとに、ドライバ等の工具を使用することなく組み付けることができる。
【００５４】
ここで、図１に示すように、左の縦枠フレーム３のヘッド側端部２１ａと右の縦枠フレーム４のヘッド側端部６１ｂがヘッド横枠フレーム９により連結されている。また、左の縦枠フレーム３のフット側端部２２ａと右の縦枠フレーム４のフット側端部６２ｂがフット横枠フレーム１１により連結されている。これにより、左の縦枠フレーム３、右の縦枠フレーム４、ヘッド横枠フレーム９、及びフット横枠フレーム１１により矩形体フレーム２が平面視矩形状に形成される。
【００５５】
図２に戻って、一対の中央横枠フレーム１２，１３は、ヘッド横枠フレーム９やフット横枠フレーム１１と同様に、左の縦枠フレーム３に備えられた第２連結金具３３の連結部及び第４連結金具５３の連結部に、左端部が嵌合された状態に保たれる。
また、一対の中央横枠フレーム１２，１３は、ヘッド横枠フレーム９やフット横枠フレーム１１と同様に、右の縦枠フレーム４に備えられた第２連結金具の連結部及び第４連結金具の連結部に、右端部が嵌合された状態に保たれる。
これにより、左の縦枠フレーム３及び右の縦枠フレーム４を一対の中央横枠フレーム１２，１３で連結できる。
【００５６】
この状態において、一対の中央横枠フレーム１２，１３は、左の縦枠フレーム３の第１載置部３７の上面及び第２載置部５７の上面に対して各上面が面一に位置する。また、一対の中央横枠フレーム１２，１３は、右の縦枠フレーム４の第１載置部の上面及び第２載置部の上面に対して各上面が面一に位置する。
また、一対の中央横枠フレーム１２，１３は、ヘッド横枠フレーム９やフット横枠フレーム１１と同様に、左の縦枠フレーム３と右の縦枠フレーム４とに、ドライバ等の工具を使用することなく組み付けることができる。
【００５７】
図２、図７に示すように、床板１５は、左の縦枠フレーム３に形成された第１載置部３７及び第２載置部５７に載置され、かつ、右の縦枠フレーム４に形成された第１載置部及び第２載置部に載置される。床板１５は、少なくとも４つ（第１実施形態では４つ）の床板パーツ８１〜８４を備える。４つの床板パーツ８１〜８４は、ヘッド側からフット側に向けて順に配置される第１床板パーツ８１、第２床板パーツ８２、第３床板パーツ８３、及び第４床板パーツ８４で構成される。
第１床板パーツ８１、第２床板パーツ８２、第３床板パーツ８３、及び第４床板パーツ８４は、例えば、横方向に延びる横梁８６の上面部に縦方向へ延びる複数の板材８７が横方向に間隔をあけて取り付けられることにより、簀の子状に形成されている。
【００５８】
第１床板パーツ８１及び第２床板パーツ８２は、左の縦枠フレーム３の第１縦枠パーツ２１に備える第１載置部３７と、右の縦枠フレーム４の第１縦枠パーツ６１に備える第１載置部とに載置される。第３床板パーツ８３及び第４床板パーツ８４は、左の縦枠フレーム３の第２縦枠パーツ２２に備える第２載置部５７と、右の縦枠フレーム４の第２縦枠パーツ６２に備える第２載置部とに載置される。
この状態において、第１床板パーツ８１、第２床板パーツ８２、第３床板パーツ８３、及び第４床板パーツ８４は、面一に配置される。よって、第１床板パーツ８１、第２床板パーツ８２、第３床板パーツ８３、及び第４床板パーツ８４に、例えば敷き布団等を敷くことができる。
【００５９】
第１床板パーツ８１及び第２床板パーツ８２は、隣接する各端部８１ａ，８２ａが幅広の第１連結紐９１で連結されている。よって、第１床板パーツ８１及び第２床板パーツ８２は、第１連結紐９１を折り曲げる（変形させる）ことにより、逆Ｖ字状（すなわち、山形）に折り曲げられる。
折り曲げられた第１床板パーツ８１及び第２床板パーツ８２は、左の縦枠フレーム３の第１縦枠パーツ２１に形成された第１凹部３２及び第２凹部３４に、各下端部８１ｂ，８２ｂの左端部が嵌合される。同様に、折り曲げられた第１床板パーツ８１及び第２床板パーツ８２は、右の縦枠フレーム４の第１縦枠パーツ６１に形成された第１凹部及び第２凹部に、各下端部８１ｂ，８２ｂの右端部が嵌合される。
よって、第１床板パーツ８１及び第２床板パーツ８２は、左の縦枠フレーム３の第１縦枠パーツ２１及び右の縦枠フレーム４の第１縦枠パーツ６１において逆Ｖ字状に立ち上げた状態に保たれる。
【００６０】
図２、図８に示すように、第３床板パーツ８３及び第４床板パーツ８４は、第１床板パーツ８１及び第２床板パーツ８２と同様に、隣接する各端部８３ａ，８４ａが幅広の第２連結紐９２（図１１参照）で連結されている。よって、第３床板パーツ８３及び第４床板パーツ８４は、第２連結紐９２を折り曲げる（変形させる）ことにより、逆Ｖ字状（すなわち、山形）に折り曲げられる。
折り曲げられた第３床板パーツ８３及び第４床板パーツ８４は、左の縦枠フレーム３において、第２縦枠パーツ２２に形成された第３凹部５２及び第４凹部５４に、各下端部８３ｂ，８４ｂの左端部が嵌合される。同様に、折り曲げられた第３床板パーツ８３及び第４床板パーツ８４は、右の縦枠フレームの第２縦枠パーツ６２に形成された第３凹部及び第４凹部に、各下端部８３ｂ，８４ｂの右端部が嵌合される。
よって、第３床板パーツ８３及び第４床板パーツ８４は、左の縦枠フレーム３の第２縦枠パーツ２２及び右の縦枠フレーム４第２縦枠パーツ６２において逆Ｖ字状に立ち上げた状態に保たれる。
【００６１】
このように、第１床板パーツ８１及び第２床板パーツ８２が逆Ｖ字状に立ち上げ、かつ、第３床板パーツ８３及び第４床板パーツ８４が逆Ｖ字状に立ち上げられる。立ち上げられた第１床板パーツ８１及び第２床板パーツ８２と、立ち上げられた第３床板パーツ８３及び第４床板パーツ８４とに、例えば布団９５等を載せることにより布団９５の下方に空間９６を確保できる。
これにより、立ち上げられた第１床板パーツ８１及び第２床板パーツ８２と、立ち上げられた第３床板パーツ８３及び第４床板パーツ８４とに、例えば布団９５等を干すことができ、ベッドフレームユニット１の利便性を一層高めることができる。
【００６２】
図１、図２、図９に示すように、一対のヘッドボード１６，１７は、矩形体フレーム２の任意の位置に沿って配置される。一対のヘッドボード１６，１７は、例えば、矩形体フレーム２に取り付けないように構成され、第１実施形態においては、例えばヘッド横枠フレーム９に沿って、上下に２段重ねに配置される。
一対のヘッドボード１６，１７は、断面Ｕ字状（すなわち、コ字状）に形成されている。一対のヘッドボード１６，１７は、一対の補強部１０１で補強されることにより強度が確保されている。
【００６３】
一対のヘッドボード１６，１７は、ヘッド横枠フレーム９に沿って上下に２段重ねに配置された状態において、一対のヘッドボード１６，１７の各開口部１０３，１０４が矩形体フレーム２（すなわち、ベッドフレームユニット１）の内側を向いて配置される。一対のヘッドボード１６，１７は、上下に２段重ねに配置された状態において、ボード連結具１１２により連結される。
【００６４】
ボード連結具１１２は、断面Ｕ字状（コ字状）に形成されている。ボード連結具１１２は、一対のヘッドボード１６，１７のうち、下側に配置されたヘッドボード１６の側壁１１４と、上側に配置されたヘッドボード１７の側壁１１５とを挟み込む。これにより、上下に重ねられた一対のヘッドボード１６，１７は、ボード連結具１１２により連結される。
第１実施形態においては、上下に２段重ねに配置された一対のヘッドボード１６，１７をボード連結具１１２で連結する例について説明するが、一対のヘッドボード１６，１７をボード連結具１１２で連結しなくてもよい。
【００６５】
つぎに、ベッドフレームユニット１を組み付ける手順の代表例を図２に基づいて説明する。
図２、図６に示すように、まず、左の縦枠フレーム３において、第１縦枠パーツ２１の突合せ端面部２１ｃ及び第２縦枠パーツ２２の突合せ端面部２２ｃに左の第１連結具５を差し込んで、第１縦枠パーツ２１と第２縦枠パーツ２２とを連結させる。この状態において、第１縦枠パーツ２１の第１連結段差部３５と第２縦枠パーツ２２の第２連結段差部５５とに左の第２連結具７を差し込む。これにより、左の第１連結具５及び左の第２連結具７により、左の縦枠フレーム３を第１縦枠パーツ２１の突合せ端面部２１ｃと第２縦枠パーツ２２の突合せ端面部２２ｃとを突き合わせた状態に連結する。
【００６６】
同様に、右の第１連結具６及び右の第２連結具８により、右の縦枠フレーム４を第１縦枠パーツ６１の突合せ端面部６１ａと第２縦枠パーツ６２の突合せ端面部６２ａとを突き合わせた状態に連結する。
【００６７】
つぎに、左の縦枠フレーム３のヘッド側端部２１ａに備えられた第１連結金具３１に、ヘッド横枠フレーム９の左端部９ａを嵌合する。同様に、右の縦枠フレーム４のヘッド側端部６１ｂに備えられた第１連結金具に、ヘッド横枠フレーム９の右端部９ｂを嵌合する。
これにより、左の縦枠フレーム３のヘッド側端部２１ａと右の縦枠フレーム４のヘッド側端部６１ｂとをヘッド横枠フレーム９で連結する。
【００６８】
つづいて、左の縦枠フレーム３のフット側端部２２ａに備えられた第３連結金具５１に、フット横枠フレーム１１の左端部１１ａを嵌合する。同様に、右の縦枠フレーム４のフット側端部６２ｂに備えられた第３連結金具に、フット横枠フレーム１１の右端部１１ｂを嵌合する。
これにより、左の縦枠フレーム３のフット側端部２２ａと右の縦枠フレーム４のフット側端部６２ｂとをフット横枠フレーム１１で連結する。
【００６９】
つぎに、左の縦枠フレーム３に備えられた第２連結金具３３及び第４連結金具５３に、一対の中央横枠フレーム１２，１３の各左端部を嵌合する。同様に、右の縦枠フレーム４に備えられた第２連結金具及び第４連結金具に、一対の中央横枠フレーム１２，１３の各右端部を嵌合する。これにより、左の縦枠フレーム３と右の縦枠フレーム４とを一対の中央横枠フレーム１２，１３で連結する。
【００７０】
この状態において、左の縦枠フレーム３に形成された第１載置部３７及び第２載置部５７と、右の縦枠フレーム４に形成された第１載置部及び第２載置部とに床板１５を載置する。
つぎに、矩形体フレーム２のうち、例えば、ヘッド横枠フレーム９に沿わせて一対のヘッドボード１６，１７を上下に２段重ねに配置する。
これにより、ベッドフレームユニット１の組み付けが完了する。
【００７１】
以上説明したように、ベッドフレームユニット１の構成部材を差込みや嵌合により組み付けることにより、ベッドフレームユニット１を組み付けることができる。
また、ベッドフレームユニット１を分解する際には、前述した組付け手順の逆の手順でベッドフレームユニット１を分解できる。
これにより、ベッドフレームユニット１を組み付ける際や、分解する際に、ネジ等の締付具を締め付けたり、緩めたりするドライバ等の工具を不要にできる。
【００７２】
つぎに、分解したベッドフレームユニット１を梱包する手順の代表例を図１０，図１１に基づいて説明する。
図１０，図１１に示すように、床板１５の第１床板パーツ８１及び第２床板パーツ８２において、第１連結紐９１を折り曲げることにより、第１床板パーツ８１の横梁８６と第２床板パーツ８２の横梁８６とを重ね合わせることができる。この状態において、第１床板パーツ８１と第２床板パーツ８２との間に空間が形成される。
この空間を利用して、左の縦枠フレーム３を分解した第１縦枠パーツ２１、第２縦枠パーツ２２を収納する。さらに、この空間を利用して、右の縦枠フレーム４を分解した第１縦枠パーツ６１を収納する。
【００７３】
また、床板１５の第３床板パーツ８３及び第４床板パーツ８４において、第２連結紐９２を折り曲げることにより、第３床板パーツ８３の横梁８６と第４床板パーツ８４の横梁８６とを重ね合わせることができる。この状態において、第３床板パーツ８３と第４床板パーツ８４との間に空間が形成される。
この空間を利用して、右の縦枠フレーム４を分解した第２縦枠パーツ６２を収納する。さらに、この空間を利用して、ヘッド横枠フレーム９、フット横枠フレーム１１、及び一対の中央横枠フレーム１２，１３を収納する。加えて、この空間を利用して、左右の第１連結具５，６、及び左右の第２連結具７，８（双方、図２参照）を収納する。
【００７４】
この状態において、折り畳まれた第１床板パーツ８１及び第２床板パーツ８２と、折り畳まれた第３床板パーツ８３及び第４床板パーツ８４とを一対のヘッドボード１６，１７により覆う。
すなわち、一対のヘッドボード１６，１７は、各開口端部１６ａ，１７ａが突き合わされた状態に配置されることにより閉断面を形成する。一対のヘッドボード１６，１７の閉断面を利用して、折り畳まれた第１床板パーツ８１及び第２床板パーツ８２と、折り畳まれた第３床板パーツ８３及び第４床板パーツ８４とを収納する。これにより、分解したベッドフレームユニット１の梱包が完了する。
【００７５】
以上説明したように第１実施形態のベッドフレームユニット１によれば、一対のヘッドボード１６，１７を断面Ｕ字状に形成することにより、各ヘッドボード１６，１７の開口端部１６ａ，１７ａを突き合わせて閉断面を形成可能とした。また、分解したベッドフレームユニット１を梱包する際に、左右の縦枠フレーム３，４の各縦枠パーツ２１，２２，６１，６２を分割状態において、一対のヘッドボード１６，１７の閉断面に収納可能とした。すなわち、分割した各縦枠パーツ２１，２２，６１，６２を、ヘッド横枠フレーム９、フット横枠フレーム１１、及び各床板パーツ８１〜８４とともに一対のヘッドボード１６，１７の閉断面に収納可能とした。
【００７６】
よって、左右の縦枠フレーム３，４の各縦枠パーツ２１，２２，６１，６２、ヘッド横枠フレーム９、フット横枠フレーム１１、及び各床板パーツ８１〜８４を、バラバラにならないように一対のヘッドボード１６，１７により１つにまとめた状態に保持できる。
これにより、分解したベッドフレームユニット１の構成部材をひとまとめに梱包して保管したり運搬したりする際等に、分解したベッドフレームユニット１の構成部材をまとめるために従来必要とされていた梱包材を不要にできる。
【００７７】
（第２実施形態）
次に、本考案に係る第２実施形態のベッドフレームユニット２００を図１２に基づいて説明する。
なお、第２実施形態においては、第１実施形態における構成要素と同一の部分については同一の符号を付し、その説明を省略し、異なる点についてのみ説明する。
図１２に示すように、ベッドフレームユニット２００は、例えば、矩形体フレーム２のうち左の縦枠フレーム３に沿って一対のヘッドボード１６，１７が縦方向に並べて配置される。一対のヘッドボード１６，１７は、一対のヘッドボード１６，１７の各開口部１０３，１０４が矩形体フレーム２（すなわち、ベッドフレームユニット１）の内側を向いて配置される。
【００７８】
ここで、一対のヘッドボード１６，１７は、前述したように、例えば矩形体フレーム２に取り付けないように構成されている。よって、一対のヘッドボード１６，１７を矩形体フレーム２の任意の位置に沿って配置できる。
また、一対のヘッドボード１６，１７を配置する向きも任意に選択できる。例えば、一対のヘッドボード１６，１７の各開口部１０３，１０４を下向きや、上向きに配置してもよい。
よって、ベッドフレームユニット１（図１参照）やベッドフレームユニット２００を使用する室内環境に合わせて、矩形体フレーム２の任意の個所に沿わせて各ヘッドボード１６，１７を配置できる。これにより、ベッドフレームユニット１の利便性を高めることができる。
【００７９】
なお、本考案の技術的範囲は前記実施形態に限定されるものではなく、本考案の趣旨を逸脱しない範囲において種々の変更を加えることが可能である。
例えば、前記実施形態では、第１床板パーツ８１及び第２床板パーツ８２を第１連結紐９１で連結し、第３床板パーツ８３及び第４床板パーツ８４を第２連結紐９２で連結して、各床板パーツを逆Ｖ字状に折り曲げる例について説明したがこれに限らない。その他の例として、例えば、第１床板パーツ８１及び第２床板パーツ８２をヒンジで連結し、第３床板パーツ８３及び第４床板パーツ８４をヒンジで連結してもよい。
【００８０】
その他、本考案の趣旨に逸脱しない範囲で、前記実施形態における構成要素を周知の構成要素に置き換えることは適宜可能であり、また、前記した変形例を適宜組み合わせてもよい。
【符号の説明】
【００８１】
１，２００  ベッドフレームユニット
２  矩形体フレーム
３，４  左右の縦枠フレーム
５，６  左右の第１連結具（連結具）
７，８  左右の第２連結具（他の連結具）
９  ヘッド横枠フレーム
１１  フット横枠フレーム
１２，１３  一対の中央横枠フレーム
１５  床板
１６，１７  一対のヘッドボード
１６ａ，１７ａ  開口端部
２１，６１  第１縦枠パーツ（縦枠パーツ）
２１ｃ，２２ｃ，６１ａ，６２ａ  突合せ端面部（端面部）
２２，６２  第２縦枠パーツ（縦枠パーツ）
３１  第１連結金具（第１連結凹部）
３７  第１載置部（載置部）
４４  第１係止突部（第１係止手段）
５１  第３連結金具（第２連結凹部）
５７  第２載置部（載置部）
７１  一対の差込突部
７２  基部
７６  第１スリット
７８  第２スリット
８１〜８４  第１〜第４床板パーツ（床板パーツ）
【図１】
0003233776.tif 000003
【図２】
0003233776.tif 000004
【図３】
0003233776.tif 000005
【図４】
0003233776.tif 000006
【図５】
0003233776.tif 000007
【図６】
0003233776.tif 000008
【図７】
0003233776.tif 000009
【図８】
0003233776.tif 000010
【図９】
0003233776.tif 000011
【図１０】
0003233776.tif 000012
【図１１】
0003233776.tif 000013
【図１２】
0003233776.tif 000014